(57)【要約】【課題】艦艇において、災害の発生を検知するセンサが故障した場合に、各区画の被害状況を効率的に確認することのできる災害区画特定装置を提供する。【解決手段】センサの検知結果に基づいて複数の区画において災害が発生している可能性を示す災害発生可能性を判断する第１判断部と、前記災害発生可能性が高いと判断された前記区画と前記センサが故障している前記区画との接続関係に基づいて、前記センサが故障している前記区画についての前記災害発生可能性を判断する第２判断部と、を備える災害区画特定装置。【選択図】図３
2018180885.tif 000002
【特許請求の範囲】
【請求項１】
センサの検知結果に基づいて複数の区画において災害が発生している可能性を示す災害発生可能性を判断する第１判断部と、
前記災害発生可能性が高いと判断された前記区画と前記センサが故障している前記区画との接続関係に基づいて、前記センサが故障している前記区画についての前記災害発生可能性を判断する第２判断部と、
を備える災害区画特定装置。
【請求項２】
前記災害発生可能性が高いと判断された前記区画と前記災害発生可能性が低いと判断された前記区画との接続関係に基づいて、前記災害発生可能性が低いと判断された前記区画についての前記災害発生可能性を判断する第３判断部、
を備える請求項１に記載の災害区画特定装置。
【請求項３】
前記災害発生可能性に基づいて、所定の処置を行う前記区画の優先順位を特定する優先順位特定部、
を備える請求項１または請求項２に記載の災害区画特定装置。
【請求項４】
前記優先順位特定部が特定した前記優先順位を提示部に提示させる提示制御部、
を備える請求項３に記載の災害区画特定装置。
【請求項５】
センサの検知結果に基づいて複数の区画において災害が発生している可能性を示す災害発生可能性を判断することと、
前記災害発生可能性が高いと判断された前記区画と前記センサが故障している前記区画との接続関係に基づいて、前記センサが故障している前記区画についての前記災害発生可能性を判断することと、
を含む制御方法。
【請求項６】
コンピュータに、
センサの検知結果に基づいて複数の区画において災害が発生している可能性を示す災害発生可能性を判断することと、
前記災害発生可能性が高いと判断された前記区画と前記センサが故障している前記区画との接続関係に基づいて、前記センサが故障している前記区画についての前記災害発生可能性を判断することと、
を実行させるプログラム。
【発明の詳細な説明】
【技術分野】
【０００１】
本発明は、災害区画特定装置、制御方法及びプログラムに関する。
【背景技術】
【０００２】
火災などの災害が発生した場合に、その被害状況を把握するとともに被害の拡大を防止することは重要である。
特許文献１には、関連する技術として、火災の原因となる前兆現象を検知して火災を未然に防止する技術が記載されている。
【先行技術文献】
【特許文献】
【０００３】
【特許文献１】特開２００６−２８５７０２号公報
【発明の概要】
【発明が解決しようとする課題】
【０００４】
ところで、艦艇において、火災や浸水などの災害が発生した場合、温度センサや浸水センサなどの災害の発生を検知する各種センサ（例えば、各種センサが統合された複合センサ）が故障している区画における災害状況を限られた人数で確認する必要がある。そして、災害の拡大を防止するためには、限られた人数で効率よく各区画の被害状況を確認する必要がある。
そのため、艦艇において、災害の発生を検知するセンサが故障した場合に、各区画の被害状況を効率的に確認することのできる技術が求められていた。
【０００５】
本発明は、上記の課題を解決することのできる災害区画特定装置、制御方法及びプログラムを提供することを目的としている。
【課題を解決するための手段】
【０００６】
本発明の第１の態様によれば、災害区画特定装置は、センサの検知結果に基づいて複数の区画において災害が発生している可能性を示す災害発生可能性を判断する第１判断部と、前記災害発生可能性が高いと判断された前記区画と前記センサが故障している前記区画との接続関係に基づいて、前記センサが故障している前記区画についての前記災害発生可能性を判断する第２判断部と、を備える。
【０００７】
本発明の第２の態様によれば、第１の態様における災害区画特定装置は、前記災害発生可能性が高いと判断された前記区画と前記災害発生可能性が前記所定しきい値未満であると判断された前記区画との接続関係に基づいて、前記災害発生可能性が前記所定しきい値未満であると判断された前記区画についての前記災害発生可能性を判断する第３判断部、
を備えていてもよい。
【０００８】
本発明の第３の態様によれば、第１の態様または第２の態様における災害区画特定装置は、前記災害発生可能性に基づいて、所定の処置を行う前記区画の優先順位を特定する優先順位特定部、を備えていてもよい。
【０００９】
本発明の第４の態様によれば、第３の態様における災害区画特定装置は、前記優先順位特定部が特定した前記優先順位を提示する提示部、を備えていてもよい。
【００１０】
本発明の第５の態様によれば、制御方法は、センサの検知結果に基づいて複数の区画において災害が発生している可能性を示す災害発生可能性を判断することと、前記災害発生可能性が高いと判断された前記区画と前記センサが故障している前記区画との接続関係に基づいて、前記センサが故障している前記区画についての前記災害発生可能性を判断することと、を含む。
【００１１】
本発明の第６の態様によれば、プログラムは、コンピュータに、センサの検知結果に基づいて複数の区画において災害が発生している可能性を示す災害発生可能性を判断することと、前記災害発生可能性が高いと判断された前記区画と前記センサが故障している前記区画との接続関係に基づいて、前記センサが故障している前記区画についての前記災害発生可能性を判断することと、を実行させる。
【発明の効果】
【００１２】
本発明の実施形態による災害区画特定装置によれば、艦艇において、災害の発生を検知するセンサが故障した場合に、各区画の被害状況を効率的に確認することができる。
【図面の簡単な説明】
【００１３】
【図１】本発明の一実施形態による災害区画特定システムの構成を示す図である。
【図２】本発明の一実施形態による災害区画特定システムを説明するための図である。
【図３】本発明の一実施形態による災害区画特定装置の構成を示す図である。
【図４】本発明の一実施形態における火災発生可能性を説明するための図である。
【図５】本発明の一実施形態による災害区画特定装置の処理フローを示す図である。
【図６】本発明の一実施形態における処置の優先度を説明するための図である。
【図７】少なくとも１つの実施形態に係るコンピュータの構成を示す概略ブロック図である。
【発明を実施するための形態】
【００１４】
＜実施形態＞
以下、図面を参照しながら実施形態について詳しく説明する。
本発明の一実施形態による災害区画特定システム１の構成について説明する。
【００１５】
本発明の一実施形態による災害区画特定システム１は、艦艇に設けられ、艦艇において火災などの災害が発生した可能性のある区画を推定するシステムである。災害区画特定システム１は、図１に示すように、複合センサ１０（センサの１つ）と、火災感知器２０（センサの１つ）と、災害区画特定装置３０と、を備える。
【００１６】
複合センサ１０は、図２に示すように、艦艇内で予め区分けされた複数の区画（図２において、Ａ１〜Ａ１２、Ｂ１〜Ｂ１２、Ｃ１〜Ｃ１２で示される各区画）の１区画ごとに設けられる。複合センサとは、煙を感知する機能、温度を感知する機能、浸水を感知する機能などに加え、発光する機能、スピーカの機能などを１つの容器に入れて統合したものである。複合センサ１０は、温度、煙、浸水などを感知する。浸水を感知する機能、すなわち、浸水センサは、艦艇において浸水などがないかを感知するためのものである。また、発光する機能及びスピーカの機能は、乗員に所定の情報を報知するためのものである。
【００１７】
火災感知器２０は、煙、温度などの検知結果に基づいて、「火災」発生、「正常」状態、「故障」状態の何れであるかを報知する機器である。例えば、火災感知器２０は、火災発生時には、火災が発生したことを示す火災信号を出力する。また、例えば、火災感知器２０は、「正常」状態には、正常であることを示す正常信号を出力する。また、例えば、火災感知器２０は、故障状態には、火災信号及び正常信号とは異なる信号（以下、「故障信号」と記載）を出力する。火災感知器２０が故障状態にある場合、その火災感知器２０が設けられている区画において、火災が発生しているか否かは不明である。本発明の一実施形態による災害区画特定システム１において、火災感知器２０は、複合センサ１０とは別の筐体に収められている。
なお、本発明の別の実施形態による災害区画特定システム１では、火災感知器２０は、複合センサ１０に統合されていてもよい。
【００１８】
災害区画特定装置３０は、艦艇において火災などの災害が発生した場合に、艦艇において火災などの災害が発生した可能性のある区画を推定する装置である。災害区画特定装置３０は、図３に示すように、記憶部３０１と、データ収集部３０２と、第１判断部３０３と、災害発生判断部３０４と、第２判断部３０５と、第３判断部３０６と、優先順位特定部３０７と、提示制御部３０８と、を備える。
【００１９】
記憶部３０１は、艦艇における複数の区画の識別情報と、各区画に設けられている複合センサ１０の識別情報とを対応付けた区画センサ情報を記憶する。また、記憶部３０１は、艦艇における複数の区画の識別情報と、各区画に設けられている火災感知器２０の識別情報とを対応付けた区画センサ情報を記憶する。また、記憶部３０１は、艦艇における複数の区画の識別情報と、各区画どうしの配置や位置に関する情報とを対応付けた区画配置情報を記憶する。
【００２０】
データ収集部３０２は、艦艇における複数の区画に設けられた火災感知器２０の検知結果及び各複合センサ１０の取得するデータのうちの少なくとも一方を収集する。火災感知器２０の検知結果とは、火災が発生しているか、正常状態であるか、または、故障状態であるかを示す情報である。また、複合センサ１０の取得するデータとは、煙の検知の有無、温度などを示すデータである。
【００２１】
第１判断部３０３は、データ収集部３０２が収集したデータ（すなわち、火災感知器２０の検知結果及び各複合センサ１０の取得するデータのうちの少なくとも一方）に基づいて、複数の区画において災害が発生している可能性を示す災害発生可能性を判断する。なお、災害が火災である場合、第１判断部３０３は、火災が発生している可能性の区分として、火災状態、火災可能性状態、火災不明状態、正常状態のいずれかと判定する。なお、火災状態とは、火災が発生している可能性が極めて高い状態のことである。また、火災可能性状態とは、火災状態ほどではないが火災が発生している可能性が高い状態である。また、火災不明状態とは、故障により火災感知器２０や複合センサ１０から火災の情報が得られない状態のことである。
【００２２】
具体的には、例えば、災害が火災である場合、第１判断部３０３は、火災感知器２０から検知結果（すなわち、火災信号、正常信号、または、故障信号）を受ける。
第１判断部３０３は、火災感知器２０から受けた検知結果が火災信号である場合、その火災信号を出力した火災感知器２０の識別情報と一致する識別情報を記憶部３０１の記憶する区画センサ情報において特定する。第１判断部３０３は、区画センサ情報において特定した火災感知器２０の識別情報に対応付けられている区画を火災状態と判定する。
また、第１判断部３０３は、火災感知器２０から受けた検知結果が正常信号である場合、その正常信号を出力した火災感知器２０の識別情報と一致する識別情報を記憶部３０１の記憶する区画センサ情報において特定する。第１判断部３０３は、区画センサ情報において特定した火災感知器２０の識別情報に対応付けられている区画を正常状態と判定する。
また、第１判断部３０３は、火災感知器２０から受けた検知結果が故障信号である場合、その故障信号を出力した火災感知器２０の識別情報と一致する識別情報を記憶部３０１の記憶する区画センサ情報において特定する。第１判断部３０３は、区画センサ情報において特定した火災感知器２０の識別情報に対応付けられている区画を火災が発生しているか否かが不明な火災不明状態と判定する。
【００２３】
また、具体的には、例えば、災害が火災である場合、第１判断部３０３は、データ収集部３０２から各複合センサ１０の取得した温度の検知結果を受ける。第１判断部３０３は、温度の検知結果が所定のしきい値を超える温度であるか否かを判定する。
第１判断部３０３は、温度の検知結果が所定のしきい値を超える温度であると判定した場合に、それらの検知結果を取得した複合センサ１０の識別情報と一致する識別情報を記憶部３０１の記憶する区画センサ情報において特定する。第１判断部３０３は、区画センサ情報において特定した複合センサ１０の識別情報に対応付けられている区画を火災状態と判定する。
また、第１判断部３０３は、温度の検知結果が所定のしきい値以下の温度であると判定した場合、温度の検知結果が示す温度の上昇率が所定のしきい値を超える上昇率であるか否かを判定する。
第１判断部３０３は、温度の検知結果が所定のしきい値を超える上昇率であると判定した場合、その検知結果を取得した複合センサ１０の識別情報と一致する識別情報を記憶部３０１の記憶する区画センサ情報において特定する。第１判断部３０３は、区画センサ情報において特定した複合センサ１０の識別情報に対応付けられている区画を火災可能性状態と判定する。
また、第１判断部３０３は、温度の検知結果が所定のしきい値以下の上昇率であると判定した場合、その検知結果を取得した複合センサ１０の識別情報と一致する識別情報を記憶部３０１の記憶する区画センサ情報において特定する。第１判断部３０３は、区画センサ情報において特定した複合センサ１０の識別情報に対応付けられている区画を正常状態と判定する。
また、第１判断部３０３は、温度の検知結果が温度を示さない場合（例えば、温度の検知結果が無信号である場合など）に、その検知結果を取得した複合センサ１０の識別情報と一致する識別情報を記憶部３０１の記憶する区画センサ情報において特定する。第１判断部３０３は、区画センサ情報において特定した複合センサ１０の識別情報に対応付けられている区画を火災不明状態と判定する。
【００２４】
また、具体的には、例えば、災害が火災である場合、第１判断部３０３は、データ収集部３０２から各複合センサ１０の取得した煙の検知結果を受ける。第１判断部３０３は、各複合センサ１０の取得した検知結果について、煙の検知結果が煙を検知したか否かを判定する。
第１判断部３０３は、煙の検知結果が煙を検知したことを示した場合に、その検知結果を取得した複合センサ１０の識別情報と一致する識別情報を記憶部３０１の記憶する区画センサ情報において特定する。第１判断部３０３は、区画センサ情報において特定した複合センサ１０の識別情報に対応付けられている区画を火災状態と判定する。
また、第１判断部３０３は、煙の検知結果が煙を検知しないことを示した場合に、その検知結果を取得した複合センサ１０の識別情報と一致する識別情報を記憶部３０１の記憶する区画センサ情報において特定する。第１判断部３０３は、区画センサ情報において特定した複合センサ１０の識別情報に対応付けられている区画を正常状態と判定する。
また、第１判断部３０３は、煙の検知結果が煙を検知したか否かを示さない場合（例えば、煙の検知結果が無信号である場合など）に、その検知結果を取得した複合センサ１０の識別情報と一致する識別情報を記憶部３０１の記憶する区画センサ情報において特定する。第１判断部３０３は、区画センサ情報において特定した複合センサ１０の識別情報に対応付けられている区画を火災不明状態と判定する。
【００２５】
なお、第１判断部３０３は、判定結果が複数存在する場合には、それらの判定結果が示す状態のうち火災が発生している可能性の最も高い状態をその区画の状態と判定する。
【００２６】
災害発生判断部３０４は、各区画について、災害発生可能性が高いか否かを判断する。
具体的には、例えば、災害発生判断部３０４は、各区画が火災状態であるか否かを判定する。
そして、災害発生判断部３０４は、火災状態である区画を災害発生可能性が高い区画と特定する。
【００２７】
第２判断部３０５は、災害発生判断部３０４が火災状態であると判定した区画と火災不明状態の区画（センサが故障している区画）との接続関係に基づいて、火災不明状態の区画についての災害発生可能性を判断する。
【００２８】
具体的には、例えば、第２判断部３０５は、火災不明状態の区画が火災状態の区画に隣接しその火災状態の区画の天井または壁に面で接している場合、火災可能性状態ほど火災が発生している可能性は高くはないが、火災不明状態の区画として火災が発生している可能性が最も高い状態の区画と火災不明状態の区画を判定する。なお、ここでの隣接とは、面で接しているもののみならず、線や点で接しているものを含む。例えば、図２に示す区画Ｂ７は、面で、区画Ａ７、Ｂ３、Ｂ６、Ｂ８、Ｂ１１、Ｃ７のそれぞれに隣接する。また、区画Ｂ７は、線で、区画Ａ３、Ａ６、Ａ１１、Ｂ２、Ｂ４、Ｂ１０、Ｂ１２、Ｃ３、Ｃ６、Ｃ１１のそれぞれに隣接する。また、区画Ｂ７は、点で、区画Ａ２、Ａ１０、Ｃ２、Ｃ１０のそれぞれに隣接する。また、第２判断部３０５は、火災不明状態の区画が火災状態の区画に隣接しその火災状態の区画の天井に線または点で接している場合、火災可能性状態ほど火災が発生している可能性は高くはないが、火災不明状態の区画として火災が発生している可能性が２番目に高い状態の区画と火災不明状態の区画を判定する。また、第２判断部３０５は、火災不明状態の区画が火災状態の区画に隣接しその火災状態の区画の同甲板にあり（すなわち、火災不明状態Ｘの区画が火災状態の区画に隣接しその火災状態の区画と同一のフロアにあり）、壁に線で接している場合、火災可能性状態ほど火災が発生している可能性は高くはないが、火災不明状態Ｘの区画として火災が発生している可能性が３番目に高い状態の区画と火災不明状態の区画を判定する。また、第２判断部３０５は、火災不明状態の区画が火災状態の区画に隣接しその火災状態の区画の床に面で接している場合、火災可能性状態ほど火災が発生している可能性は高くはないが、火災不明状態Ｘの区画として火災が発生している可能性が４番目に高い状態の区画と火災不明状態の区画を判定する。また、第２判断部３０５は、火災不明状態の区画が火災状態の区画に隣接しその火災状態の区画の床に線または点で接している場合、火災可能性状態ほど火災が発生している可能性は高くはないが、火災不明状態の区画として火災が発生している可能性が５番目に高い状態の区画と火災不明状態の区画を判定する。また、第２判断部３０５は、火災不明状態の区画が火災状態の区画に接しない場合、正常状態ほど火災が発生している可能性は低くはないが状態よりは火災が発生している可能性が低い状態の区画と火災不明状態の区画を判定する。
また、具体的には、例えば、第２判断部３０５は、火災不明状態の区画が、火災状態の複数の区画と面、線または点で接している場合、その火災不明状態の区画を火災可能性区画と判定する。
なお、この火災可能性区画の判定は、火災が生じた場合、炎が下方から上方へ移りやすく、また、接地面積が広くなるほど炎が燃え広がりやすいことに基づくものである。
【００２９】
また、具体的には、例えば、第２判断部３０５は、ある区画が正常状態から火災不明状態に変化した場合、給電装置からそのある区画の複合センサ１０または火災感知器２０に給電している電線が経由している火災不明状態Ｘの区画を火災可能性状態の区画と判定する。
より具体的には、例えば図４に示す給電装置から複合センサ１０または火災感知器２０に給電している電線Ａが導設されている区画Ａ、電線Ｂが導設されている区画Ｂなどの情報を予め記憶部３０１に記憶させる。図４に示すように、給電装置から区画Ｂの複合センサ１０または火災感知器２０に給電している電線Ｂが区画Ａを経由しており、区画Ａは火災不明状態で、区画Ｂは正常状態であるとする。第２判断部３０５は、このような状態において、区画Ｂが正常状態から火災不明状態へと変化した場合、電線Ｂが経由している区画を火災可能性状態の区画と判定する。
なお、この火災可能性区画の判定は、区画Ｂの複合センサ１０または火災感知器２０が突然正常状態から火災不明状態へと変化するのは、区画Ａが火災状態であり、電線Ｂが燃えたためである可能性が高いことに基づくものである。
【００３０】
また、具体的には、例えば、第２判断部３０５は、火災不明状態の区画が、同一経路の通風ダクト（通風ダクトの経路が枝分かれしている場合も同一とみなす）を介して火災状態の区画に接続されている場合、その火災不明状態の区画を火災可能性状態の区画と判定する。
なお、この火災可能性区画の判定は、同一経路の通風ダクトを介して炎が燃え広がる可能性が高いことに基づくものである。
【００３１】
なお、上述の火災不明状態の区画として火災が発生している可能性の順位は一例であって、第２判断部３０５は、天井、壁、床、甲板の素材やその他の条件などに基づいて、その順位を変更するものであってもよい。また、第２判断部３０５は、火災不明状態の区画が複数の火災状態の区画に隣接している場合、接地面積が広くまたは接地する線の長さが長くなるにつれて、その順位を高くするものであってもよい。
【００３２】
第３判断部３０６は、災害発生可能性が高いと判断された区画（すなわち、災害発生判断部３０４が火災状態であると判定した区画）と災害発生可能性が低いと判断された区画（すなわち、同一区画について正常状態を示す判定結果と災害不明状態を示す判定結果を有する区画）との接続関係に基づいて、災害発生可能性が低いと判断された区画についての災害発生可能性を判断する。
具体的には、災害が火災である場合、第３判断部３０６は、火災発生可能性が低いと判断された区画について、火災状態の区画との接続関係に基づいて、火災発生可能性を判断する。
【００３３】
より具体的には、例えば、第３判断部３０６は、火災発生可能性が低いと判断された区画が火災状態の区画に隣接しその火災状態の区画の天井または壁に面で接している場合、火災可能性状態ほど火災が発生している可能性は高くはないが、火災発生可能性が低いと判断された区画として火災が発生している可能性が最も高い状態の区画と火災発生可能性が低いと判断された区画を判定する。また、第３判断部３０６は、火災発生可能性が低いと判断された区画が火災状態の区画に隣接しその火災状態の区画の天井に線または点で接している場合、火災可能性状態ほど火災が発生している可能性は高くはないが、火災発生可能性が低いと判断された区画として火災が発生している可能性が２番目に高い状態の区画と火災発生可能性が低いと判断された区画を判定する。また、第３判断部３０６は、火災発生可能性が低いと判断された区画が火災状態の区画に隣接しその火災状態の区画の同甲板にあり、壁に線で接している場合、火災可能性状態ほど火災が発生している可能性は高くはないが、火災発生可能性が低いと判断された区画として火災が発生している可能性が３番目に高い状態の区画と火災発生可能性が低いと判断された区画を判定する。また、第３判断部３０６は、火災発生可能性が低いと判断された区画が火災状態の区画に隣接しその火災状態の区画の床に面で接している場合、火災可能性状態ほど火災が発生している可能性は高くはないが、火災発生可能性が低いと判断された区画として火災が発生している可能性が４番目に高い状態の区画と火災発生可能性が低いと判断された区画を判定する。また、第３判断部３０６は、火災発生可能性が低いと判断された区画が火災状態の区画に隣接しその火災状態の区画の床に線または点で接している場合、火災可能性状態ほど火災が発生している可能性は高くはないが、火災発生可能性が低いと判断された区画として火災が発生している可能性が５番目に高い状態の区画と火災発生可能性が低いと判断された区画を判定する。
【００３４】
なお、上述の火災発生可能性が低いと判断された区画として火災が発生している可能性の順位は一例であって、第３判断部３０６は、天井、壁、床、甲板の素材やその他の条件などに基づいて、その順位を変更するものであってもよい。また、第３判断部３０６は、火災発生可能性が低いと判断された区画が複数の火災状態の区画に隣接している場合、接地面積が広くまたは接地する線の長さが長くなるにつれて、その順位を高くするものであってもよい。
【００３５】
優先順位特定部３０７は、災害発生可能性に基づいて、所定の処置を行う区画の優先順位を特定する。
具体的には、例えば、優先順位特定部３０７は、第１判断部３０３、第２判断部３０５及び第３判断部３０６によるそれぞれの判定結果が示す災害発生可能性の高い順に消火を行う区画の優先度を高くする。
【００３６】
提示制御部３０８は、優先順位特定部３０７が特定した優先順位を提示部に所定の処置を行う区画を提示させる。
具体的には、例えば、提示部が複合センサ１０に設けられ、複数の提示部に消火を行う必要のある区画と共に優先度を提示する。
【００３７】
次に、本発明の一実施形態による災害区画特定システム１の処理について説明する。
ここでは、図５に示す本発明の一実施形態による災害区画特定装置３０の処理フローについて説明する。
なお、艦艇において各区画には火災感知器２０と、温度センサの機能を有する複合センサ１０とが設けられているものとし、災害区画特定装置３０の処理について説明する。
【００３８】
データ収集部３０２は、常に、艦艇における複数の区画に設けられた各複合センサ１０の取得するデータを収集している（ステップＳ１）。データ収集部３０２は、収集したデータを第１判断部３０３に出力する。
【００３９】
第１判断部３０３は、データ収集部３０２が収集したデータに基づいて、各区画において災害が発生している可能性を示す災害発生可能性を判断する（ステップＳ２）。
具体的には、例えば、第１判断部３０３は、火災感知器２０から検知結果を受ける。第１判断部３０３は、火災感知器２０から受けた検知結果が火災信号である場合、その火災信号を出力した火災感知器２０の識別情報と一致する識別情報を記憶部３０１の記憶する区画センサ情報において特定する。第１判断部３０３は、区画センサ情報において特定した火災感知器２０の識別情報に対応付けられている区画を火災状態と判定する。
また、第１判断部３０３は、火災感知器２０から受けた検知結果が正常信号である場合、その正常信号を出力した火災感知器２０の識別情報と一致する識別情報を記憶部３０１の記憶する区画センサ情報において特定する。第１判断部３０３は、区画センサ情報において特定した火災感知器２０の識別情報に対応付けられている区画を正常状態と判定する。
また、第１判断部３０３は、火災感知器２０から受けた検知結果が故障信号である場合、その故障信号を出力した火災感知器２０の識別情報と一致する識別情報を記憶部３０１の記憶する区画センサ情報において特定する。第１判断部３０３は、区画センサ情報において特定した火災感知器２０の識別情報に対応付けられている区画を火災が発生しているか否かが不明な火災不明状態と判定する。
【００４０】
また、具体的には、例えば、第１判断部３０３は、データ収集部３０２から各複合センサ１０の取得した温度の検知結果を受ける。第１判断部３０３は、温度の検知結果が所定のしきい値を超える温度であるか否かを判定する。
第１判断部３０３は、温度の検知結果が所定のしきい値を超える温度であると判定した場合に、それらの検知結果を取得した複合センサ１０の識別情報と一致する識別情報を記憶部３０１の記憶する区画センサ情報において特定する。第１判断部３０３は、区画センサ情報において特定した複合センサ１０の識別情報に対応付けられている区画を火災状態と判定する。
また、第１判断部３０３は、温度の検知結果が所定のしきい値以下の温度であると判定した場合、温度の検知結果が示す温度の上昇率が所定のしきい値を超える上昇率であるか否かを判定する。
第１判断部３０３は、温度の検知結果が所定のしきい値を超える上昇率であると判定した場合、その検知結果を取得した複合センサ１０の識別情報と一致する識別情報を記憶部３０１の記憶する区画センサ情報において特定する。第１判断部３０３は、区画センサ情報において特定した複合センサ１０の識別情報に対応付けられている区画を火災可能性状態と判定する。
また、第１判断部３０３は、温度の検知結果が所定のしきい値以下の上昇率であると判定した場合、その検知結果を取得した複合センサ１０の識別情報と一致する識別情報を記憶部３０１の記憶する区画センサ情報において特定する。第１判断部３０３は、区画センサ情報において特定した複合センサ１０の識別情報に対応付けられている区画を正常状態と判定する。
また、第１判断部３０３は、温度の検知結果が温度を示さない場合（例えば、温度の検知結果が無信号である場合など）に、その検知結果を取得した複合センサ１０の識別情報と一致する識別情報を記憶部３０１の記憶する区画センサ情報において特定する。第１判断部３０３は、区画センサ情報において特定した複合センサ１０の識別情報に対応付けられている区画を火災不明状態と判定する。
【００４１】
そして、第１判断部３０３は、各区画について判定結果が複数存在するので、複合センサ１０の検知結果に基づく判定結果が示す状態と火災感知器２０の検知結果に基づく判定結果が示す状態のうち少なくとも一方が火災状態である場合に火災発生区画である可能性が極めて高い状態ＳＳ（図６参照）の区画であると判定する。
また、第１判断部３０３は、各区画について判定結果が複数存在するので、火災感知器２０の検知結果に基づく判定結果が示す状態が火災不明状態であり、複合センサ１０の検知結果が所定のしきい値を超える上昇率である場合、その検知結果を取得した複合センサ１０の識別情報と一致する識別情報を記憶部３０１の記憶する区画センサ情報において特定する。第１判断部３０３は、区画センサ情報において特定した複合センサ１０の識別情報に対応付けられている区画を火災可能性状態のうち可能性の高いＳ１（図６参照）の区画と判定する。
また、第１判断部３０３は、各区画について判定結果が複数存在するので、火災感知器２０の検知結果に基づく判定結果が示す状態が火災不明状態であり、複合センサ１０の検知結果が所定のしきい値以下の上昇率である場合、その検知結果を取得した複合センサ１０の識別情報と一致する識別情報を記憶部３０１の記憶する区画センサ情報において特定する。第１判断部３０３は、区画センサ情報において特定した複合センサ１０の識別情報に対応付けられている区画を火災可能性状態のうち可能性の低いＡ（図６参照）の区画と判定する。
また、第１判断部３０３は、各区画について判定結果が複数存在するので、複合センサ１０の検知結果に基づく判定結果が示す状態と、火災感知器２０の検知結果に基づく判定結果が示す状態とがともに火災不明状態である場合、その区画を火災不明状態Ｘ（図６参照）の区画と判定する。例えば、第１判断部３０３は、データを取得しなかった複合センサ１０を故障していると判断する。また、例えば、第１判断部３０３は、故障信号を取得した場合に火災感知器２０が故障していると判断する。
また、第１判断部３０３は、各区画について判定結果が複数存在するので、複合センサ１０の検知結果に基づく判定結果が示す状態と、火災感知器２０の検知結果に基づく判定結果が示す状態とがともに正常状態である場合、その区画を火災発生区画である可能性が極めて低い状態Ｂ（図６参照）の区画と判定する。
【００４２】
災害発生判断部３０４は、各区画について、災害発生可能性が高いか否かを判断する。例えば、災害発生判断部３０４は、各区画が火災状態であるか否かを判定する。
そして、災害発生判断部３０４は、火災状態ＳＳである区画を災害発生可能性が高い区画と特定する（ステップＳ３）。災害発生判断部３０４は、判定結果を第２判断部３０５、第３判断部３０６に出力する。
【００４３】
第２判断部３０５は、災害発生判断部３０４から判定結果を受け取る。第２判断部３０５は、災害発生判断部３０４が火災状態ＳＳであると判定した区画と火災不明状態Ｘの区画（センサが故障している区画）との接続関係に基づいて、火災不明状態Ｘの区画についての災害発生可能性を判断する（ステップＳ４）。
【００４４】
具体的には、例えば、第２判断部３０５は、ある区画が正常状態から火災不明状態に変化した場合、給電装置からそのある区画の複合センサ１０または火災感知器２０に給電している電線が経由している火災不明状態Ｘの区画を火災可能性状態の区画と判定する。
より具体的には、例えば図４に示す給電装置から複合センサ１０または火災感知器２０に給電している電線Ａが導設されている区画Ａ、電線Ｂが導設されている区画Ｂなどの情報を予め記憶部３０１に記憶させる。図４に示すように、給電装置から区画Ｂの複合センサ１０または火災感知器２０に給電している電線Ｂが区画Ａを経由しており、区画Ａは火災不明状態で、区画Ｂは正常状態であるとする。第２判断部３０５は、このような状態において、区画Ｂが正常状態から火災不明状態へと変化した場合、電線Ｂが経由している区画を火災可能性状態Ｓ２の区画と判定する。
【００４５】
また、具体的には、例えば、第２判断部３０５は、火災不明状態Ｘの区画が、火災状態の複数の区画と面、線または点で接している場合、その火災不明状態Ｘの区画を火災可能性状態Ｓ２の区画と判定する。
【００４６】
また、具体的には、例えば、第２判断部３０５は、火災不明状態Ｘの区画が、同一経路の通風ダクト（通風ダクトの経路が枝分かれしている場合も同一とみなす）を介して火災状態の区画に接続されている場合、その火災不明状態の区画を火災可能性状態Ｓ２の区画と判定する。
【００４７】
なお、上述の火災不明状態の区画として火災が発生している可能性の順位は一例であって、第２判断部３０５は、天井、壁、床、甲板の素材やその他の条件などに基づいて、その順位を変更するものであってもよい。また、第２判断部３０５は、火災不明状態の区画が複数の火災状態の区画に隣接している場合、接地面積が広くまたは接地する線の長さが長くなるにつれて、その順位を高くするものであってもよい。
【００４８】
また具体的には、例えば、第２判断部３０５は、火災不明状態Ｘの区画が、火災状態の複数の区画と面、線または点で接している場合、その状態Ａの区画を火災可能性区画と判定する。
【００４９】
また、具体的には、例えば、第２判断部３０５は、火災不明状態Ｘの区画が、同一経路の通風ダクト（通風ダクトの経路が枝分かれしている場合も同一とみなす）を介して火災状態の区画に接続されている場合、その状態Ａの区画を火災可能性区画と判定する。
【００５０】
また、第２判断部３０５は、上記条件に当てはまらない場合に火災不明状態Ｘの区画が隣接する区画に面、線、点で接するかに基づいて、火災不明状態Ｘの区画の火災発生可能性を判定する。
具体的には、例えば、第２判断部３０５は、火災不明状態Ｘの区画が火災状態ＳＳの区画に隣接しその火災状態ＳＳの区画の天井または壁に面で接している場合、火災可能性状態Ａほど火災が発生している可能性は高くはないが、火災不明状態Ｘの区画として火災が発生している可能性が最も高い状態Ｘ１−１の区画（図６参照）と火災不明状態の区画を判定する。また、第２判断部３０５は、火災不明状態の区画が火災状態の区画に隣接しその火災状態の区画の天井に線または点で接している場合、火災可能性状態ほど火災が発生している可能性は高くはないが、火災不明状態の区画として火災が発生している可能性が２番目に高い状態Ｘ１−２の区画（図６参照）と火災不明状態の区画を判定する。また、第２判断部３０５は、火災不明状態の区画が火災状態の区画に隣接しその火災状態の区画の同甲板にあり（すなわち、火災不明状態Ｘの区画が火災状態の区画に隣接しその火災状態の区画と同一のフロアにあり）、壁に線で接している場合、火災可能性状態ほど火災が発生している可能性は高くはないが、火災不明状態Ｘの区画として火災が発生している可能性が３番目に高い状態Ｘ１−３の区画（図６参照）と火災不明状態の区画を判定する。また、第２判断部３０５は、火災不明状態の区画が火災状態の区画に隣接しその火災状態の区画の床に面で接している場合、火災可能性状態ほど火災が発生している可能性は高くはないが、火災不明状態Ｘの区画として火災が発生している可能性が４番目に高い状態Ｘ１−４の区画（図６参照）と火災不明状態の区画を判定する。また、第２判断部３０５は、火災不明状態の区画が火災状態の区画に隣接しその火災状態の区画の床に線または点で接している場合、火災可能性状態ほど火災が発生している可能性は高くはないが、火災不明状態の区画として火災が発生している可能性が５番目に高い状態Ｘ１−５の区画（図６参照）と火災不明状態の区画を判定する。また、第２判断部３０５は、火災不明状態の区画が火災状態の区画に接しない場合、正常状態ほど火災が発生している可能性は低くはないが状態よりは火災が発生している可能性が低い状態の区画と火災不明状態の区画を判定する。
また、第２判断部３０５は、火災不明状態の区画が火災状態の区画に接しない場合、正常状態ほど火災が発生している可能性は低くはないが状態よりは火災が発生している可能性が低い状態Ｘ２の区画（図６参照）と火災不明状態の区画を判定する。
【００５１】
次に、第３判断部３０６は、火災発生可能性が高いと判断された状態ＳＳの区画（すなわち、災害発生判断部３０４が火災状態であると判定した区画）と災害発生可能性が低いと判断された状態Ａの区画（すなわち、同一区画について正常状態を示す判定結果と災害不明状態Ｘを示す判定結果を有する区画）との接続関係に基づいて、火災発生可能性が低いと判断された状態Ａの区画についての災害発生可能性を判断する（ステップＳ５）。
【００５２】
より具体的には、例えば、第３判断部３０６は、状態Ａの区画が火災状態ＳＳの区画に隣接しその火災状態ＳＳの区画の天井または壁に面で接している場合、火災可能性状態Ｓ２ほど火災が発生している可能性は高くはないが、状態Ａの区画として火災が発生している可能性が最も高い状態の区画と状態Ａ１−１の区画を判定する。また、第３判断部３０６は、状態Ａの区画が火災状態ＳＳの区画に隣接しその火災状態ＳＳの区画の天井に線または点で接している場合、火災可能性状態Ｓ２ほど火災が発生している可能性は高くはないが、状態Ａの区画として火災が発生している可能性が２番目に高い状態Ａ１−２の区画と状態Ａの区画を判定する。また、第３判断部３０６は、状態Ａの区画が火災状態ＳＳの区画に隣接しその火災状態ＳＳの区画の同甲板にあり、壁に線で接している場合、火災可能性状態Ｓ２ほど火災が発生している可能性は高くはないが、状態Ａの区画として火災が発生している可能性が３番目に高い状態Ａ１−３の区画と状態Ａの区画を判定する。また、第３判断部３０６は、状態Ａの区画が火災状態ＳＳの区画に隣接しその火災状態ＳＳの区画の床に面で接している場合、火災可能性状態Ｓ２ほど火災が発生している可能性は高くはないが、状態Ａの区画として火災が発生している可能性が４番目に高い状態Ａ１−４の区画と状態Ａの区画を判定する。また、第３判断部３０６は、状態Ａの区画が火災状態ＳＳの区画に隣接しその火災状態ＳＳの区画の床に線または点で接している場合、火災可能性状態Ｓ２ほど火災が発生している可能性は高くはないが、状態Ａの区画として火災が発生している可能性が５番目に高い状態Ａ１−５の区画と状態Ａの区画を判定する。
また、第３判断部３０６は、状態Ａの区画が火災状態ＳＳの区画に接しない場合、正常状態ほど火災が発生している可能性は低くはないが状態Ａ１−５よりは火災が発生している可能性が低い状態の区画Ａ２（図６参照）と火災不明状態の区画を判定する。
【００５３】
なお、上述の状態Ａの区画として火災が発生している可能性の順位は一例であって、第３判断部３０６は、天井、壁、床、甲板の素材やその他の条件などに基づいて、その順位を変更するものであってもよい。また、第３判断部３０６は、状態Ａの区画が複数の火災状態の区画に隣接している場合、接地面積が広くまたは接地する線の長さが長くなるにつれて、その順位を高くするものであってもよい。
【００５４】
優先順位特定部３０７は、災害発生可能性に基づいて、所定の処置を行う区画の優先順位を特定する（ステップＳ６）。
具体的には、例えば、優先順位特定部３０７は、第１判断部３０３、第２判断部３０５及び第３判断部３０６によるそれぞれの判定結果が示す災害発生可能性の高い順（ＳＳ、Ｓ１、Ｓ２、Ｘ１−１、Ｘ１−２、Ｘ１−３、Ｘ１−４、Ｘ１−５、Ａ１−１、Ａ１−２、Ａ１−３、Ａ１−４、Ａ１−５、Ａ２、Ｂ）に消火を行う区画の優先度を高くする。
【００５５】
提示制御部３０８は、優先順位特定部３０７が特定した優先順位を提示部に所定の処置を行う区画を提示させる（ステップＳ７）。
具体的には、例えば、提示部が複合センサ１０に設けられ、提示制御部３０８は、複数の提示部に消火を行う必要のある区画と共に優先度を提示する。
【００５６】
以上、本発明の一実施形態による災害区画特定システム１について説明した。
災害区画特定システム１において、災害区画特定装置３０は、第１判断部３０３と、第２判断部と、を備える。第１判断部３０３は、複合センサ１０及び火災感知器２０（センサ）の少なくとも一方の検知結果に基づいて複数の区画において災害が発生している可能性を示す災害発生可能性を判断する。第２判断部３０５は、災害発生可能性が高いと判断された区画と複合センサ１０または火災感知器２０が故障している区画との接続関係に基づいて、複合センサ１０または火災感知器２０が故障している区画についての災害発生可能性を判断する。
このようにすれば、本発明の一実施形態による災害区画特定装置３０は、艦艇において、災害の発生を検知するセンサが故障した場合に、各区画の被害状況を効率的に確認することができる。
【００５７】
また、本発明の一実施形態による災害区画特定システム１は、第３判断部３０６を備える。第３判断部３０６は、災害発生可能性が高いと判断された区画と災害発生可能性が低いと判断された区画との接続関係に基づいて、災害発生可能性が低いと判断された区画についての災害発生可能性を判断する。
このようにすれば、本発明の一実施形態による災害区画特定装置３０は、艦艇において、災害の発生を検知するセンサが故障した場合に、より正確に各区画の被害状況を効率的に確認することができる。
【００５８】
なお、本発明の別の実施形態において、複合センサ１０は、提示部の機能を備えていなくてもよく、センサ機能を有する複合センサ１０に加えて提示部が各区画に設けられていてもよい。
【００５９】
なお、本発明の別の実施形態による第１判断部３０３は、判定結果が３つ以上存在し、それらの判定結果が示す状態のうち火災が発生している可能性の最も高い状態をその区画の状態と判定した場合に、その火災が発生している可能性の最も高い状態を示す複合センサ１０及び火災感知器２０のうちの１つを除いた他の複合センサ１０及び火災感知器２０の判定結果が示す状態に基づいて、判定したその区画の状態をさらに区分けしてもよい。
【００６０】
具体的には、第１判断部３０３は、複数の判定結果のうち火災が発生している可能性の最も高い状態をその区画の状態として各区画の状態を区分けし、残りの判定結果が示す火災が発生している可能性に基づいて、その区画の状態をさらに区分けする。例えば、判定結果が３つ存在する場合、第１判断部３０３は、３つの判定結果のうち火災が発生している可能性の最も高い状態が火災状態である（火災状態、火災状態、火災状態）、（火災状態、火災状態、火災可能性状態）、（火災状態、火災状態、火災不明状態）、（火災状態、火災状態、正常状態）、（火災状態、火災可能性状態、火災可能性状態）、（火災状態、火災可能性状態、火災不明状態）、（火災状態、火災可能性状態、正常状態）、（火災状態、火災不明状態、火災不明状態）、（火災状態、火災不明状態、正常状態）、（火災状態、正常状態、正常状態）を火災状態の区画と判定する。そして、第１判断部３０３は、各区画の残りの判定結果（火災状態、火災状態）、（火災状態、火災可能性状態）、（火災状態、火災不明状態）、（火災状態、正常状態）、（火災可能性状態、火災可能性状態）、（火災可能性状態、火災不明状態）、（火災可能性状態、正常状態）、（火災不明状態、火災不明状態）、（火災不明状態、正常状態）、（正常状態、正常状態）のうち火災が発生している可能性の最も高い状態が火災状態である「（火災状態、火災状態）、（火災状態、火災可能性状態）、（火災状態、火災不明状態）、（火災状態、正常状態）」（第１グループ）、火災が発生している可能性の最も高い状態が火災可能性状態である「（火災可能性状態、火災可能性状態）、（火災可能性状態、火災不明状態）、（火災可能性状態、正常状態）」（第２グループ）、火災が発生している可能性の最も高い状態が火災不明状態である「（火災不明状態、火災不明状態）、（火災不明状態、正常状態）」（火災不明状態を含むグループ）、「（正常状態、正常状態）」（第３グループ）のそれぞれに区分けしてもよい。
また、同様に、第１判断部３０３は、３つの判定結果が（火災可能性状態、火災可能性状態、火災可能性状態）、（火災可能性状態、火災可能性状態、火災不明状態）、（火災可能性状態、火災可能性状態、正常状態）、（火災可能性状態、火災不明状態、火災不明状態）、（火災可能性状態、火災不明状態、正常状態）、（火災可能性状態、正常状態、正常状態）のいずれかである場合に、その区画を火災可能性状態の区画と判定する。そして、第１判断部３０３は、残りの判定結果（火災可能性状態、火災可能性状態）、（火災可能性状態、火災不明状態）、（火災可能性状態、正常状態）、（火災不明状態、火災不明状態）、（火災不明状態、正常状態）、（正常状態、正常状態）に基づいて、火災可能性状態の区画を、「（火災可能性状態、火災可能性状態）、（火災可能性状態、火災不明状態）、（火災可能性状態、正常状態）」（火災可能性状態を含むグループ）、「（火災不明状態、火災不明状態）、（火災不明状態、正常状態）」（第４グループ）、「（正常状態、正常状態）」（第５グループ）のそれぞれに区分けしてもよい。
また、同様に、第１判断部３０３は、３つの判定結果が（火災不明状態、火災不明状態、火災不明状態）、（火災不明状態、火災不明状態、正常状態）、（火災不明状態、正常状態、正常状態）のいずれかである場合に、その区画を火災不明状態の区画と判定する。そして、第１判断部３０３は、残りの判定結果（火災不明状態、火災不明状態）、（火災不明状態、正常状態）、（正常状態、正常状態）に基づいて、火災不明状態の区画を、「（火災不明状態、火災不明状態）、（火災不明状態、正常状態）」（第６グループ）、「（正常状態、正常状態）」（第７グループ）のそれぞれに区分けしてもよい。
【００６１】
また、具体的には、例えば、第１判断部３０３は、判定結果が３つ存在し、その区画を火災状態の区画と判定した場合、残りの判定結果（火災状態、火災状態）、（火災状態、火災可能性状態）、（火災状態、火災不明状態）、（火災状態、正常状態）、（火災可能性状態、火災可能性状態）、（火災可能性状態、火災不明状態）、（火災可能性状態、正常状態）、（火災不明状態、火災不明状態）、（火災不明状態、正常状態）、（正常状態、正常状態）のそれぞれに区分けしてもよい。
また、具体的には、例えば、第１判断部３０３は、判定結果が３つ存在し、その区画を火災可能性状態の区画と判定した場合、残りの判定結果（火災可能性状態、火災可能性状態）、（火災可能性状態、火災不明状態）、（火災可能性状態、正常状態）、（火災不明状態、火災不明状態）、（火災不明状態、正常状態）、（正常状態、正常状態）のそれぞれに区分けしてもよい。
また、具体的には、例えば、第１判断部３０３は、判定結果が３つ存在し、その区画を火災不明状態の区画と判定した場合、火災不明状態を示す判定結果の１つを除いた（火災不明状態、火災不明状態）、（火災不明状態、正常状態）、（正常状態、正常状態）のそれぞれに区分けしてもよい。
【００６２】
なお、本発明の実施形態における処理は、適切な処理が行われる範囲において、処理の順番が入れ替わってもよい。
【００６３】
本発明の実施形態における記憶部３０１、その他の記憶装置のそれぞれは、適切な情報の送受信が行われる範囲においてどこに備えられていてもよい。また、記憶部３０１、その他の記憶装置のそれぞれは、適切な情報の送受信が行われる範囲において複数存在しデータを分散して記憶していてもよい。
【００６４】
本発明の実施形態について説明したが、上述の災害区画特定システム１、災害区画特定装置３０、その他の制御装置は内部に、コンピュータシステムを有していてもよい。そして、上述した処理の過程は、プログラムの形式でコンピュータ読み取り可能な記録媒体に記憶されており、このプログラムをコンピュータが読み出して実行することによって、上記処理が行われる。コンピュータの具体例を以下に示す。
図７は、少なくとも１つの実施形態に係るコンピュータの構成を示す概略ブロック図である。
コンピュータ５は、図７に示すように、ＣＰＵ６、メインメモリ７、ストレージ８、インターフェース９を備える。
例えば、上述の災害区画特定システム１、災害区画特定装置３０、その他の制御装置のそれぞれは、コンピュータ５に実装される。そして、上述した各処理部の動作は、プログラムの形式でストレージ８に記憶されている。ＣＰＵ６は、プログラムをストレージ８から読み出してメインメモリ７に展開し、当該プログラムに従って上記処理を実行する。また、ＣＰＵ６は、プログラムに従って、上述した各記憶部に対応する記憶領域をメインメモリ７に確保する。
【００６５】
ストレージ８の例としては、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、磁気ディスク、光磁気ディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ−ＲＯＭ（Ｄｉｇｉｔａｌ  Ｖｅｒｓａｔｉｌｅ  Ｄｉｓｃ  Ｒｅａｄ  Ｏｎｌｙ  Ｍｅｍｏｒｙ）、半導体メモリ等が挙げられる。ストレージ８は、コンピュータ５のバスに直接接続された内部メディアであってもよいし、インターフェース９または通信回線を介してコンピュータ５に接続される外部メディアであってもよい。また、このプログラムが通信回線によってコンピュータ５に配信される場合、配信を受けたコンピュータ５が当該プログラムをメインメモリ７に展開し、上記処理を実行してもよい。少なくとも１つの実施形態において、ストレージ８は、一時的でない有形の記憶媒体である。
【００６６】
また、上記プログラムは、前述した機能の一部を実現してもよい。さらに、上記プログラムは、前述した機能をコンピュータシステムにすでに記録されているプログラムとの組み合わせで実現できるファイル、いわゆる差分ファイル（差分プログラム）であってもよい。
【００６７】
本発明のいくつかの実施形態を説明したが、これらの実施形態は、例であり、発明の範囲を限定しない。これらの実施形態は、発明の要旨を逸脱しない範囲で、種々の追加、省略、置き換え、変更を行ってよい。
【符号の説明】
【００６８】
１・・・災害区画特定システム
５・・・コンピュータ
６・・・ＣＰＵ
７・・・メインメモリ
８・・・ストレージ
９・・・インターフェース
１０・・・複合センサ
２０・・・火災感知器
３０・・・災害区画特定装置
３０１・・・記憶部
３０２・・・データ収集部
３０３・・・第１判断部
３０４・・・災害発生判断部
３０５・・・第２判断部
３０６・・・第３判断部
３０７・・・優先順位特定部
３０８・・・提示制御部
【図１】
2018180885.tif 000003
【図２】
2018180885.tif 000004
【図３】
2018180885.tif 000005
【図４】
2018180885.tif 000006
【図５】
2018180885.tif 000007
【図６】
2018180885.tif 000008
【図７】
2018180885.tif 000009